(57)【特許請求の範囲】
【請求項１】
光学的ディスク状記録媒体に記録光を照射することによってデータを記録する光学的ディスク状記録媒体記録装置であって、
光学的ディスク状記録媒体を回転駆動する回転駆動手段と、
第１の周期を有する第１のパターンと上記第１の周期よりも長い第２の周期を有する第２のパターンとを生成するパターン生成手段と、
上記光学的ディスク状記録媒体に所定のフォーカス又は位置で記録光を照射するよう制御するサーボ手段を含み、上記第１のパターンと上記第２のパターンのそれぞれに対応する記録光を照射し、上記第１のパターンに対応する第１のマークと上記第２のパターンに対応する第２のマークとを上記光学的ディスク状記録媒体に記録する記録光照射手段と、
上記記録光照射手段の照射パワーを設定する照射パワー設定手段と、
上記記録光照射手段を上記光学的ディスク状記録媒体の半径方向の所望の位置に移動する記録光照射手段移動手段と、
上記第１のマークと上記第２のマークとに再生光を照射し、上記光学的ディスク状記録媒体からの上記再生光の反射光に基づいて再生信号を出力する再生信号出力手段と、
上記再生信号出力手段から出力される再生信号のビットエラーレートが、所定量以下になる最小照射パワーの記録光で記録された上記第１及び第２のマークに基づく再生信号の第１のアシンメトリ量と、上記サーボ手段が不安定とならない最大照射パワーの記録光で記録された上記第１及び第２のマークに基づく再生信号の第２のアシンメトリ量と、最適な記録パワーの記録光で記録された上記第１及び第２のマークに基づく再生信号の第３のアシンメトリ量を記憶しておく記憶手段と、
上記第１のマークに基づく再生信号の振幅レベルと上記第２のマークに基づく再生信号の振幅レベルとに基づいてアシンメトリ量を算出するアシンメトリ量算出手段と、
上記第１のアシンメトリ量及び第２のアシンメトリ量と、上記再生信号出力手段から実際に出力される上記第１及び第２のマークに基づく再生信号の第４のアシンメトリ量を比較する比較手段と、
上記比較手段による比較結果に基づいて、上記第４のアシンメトリ量が上記第１のアシンメトリ量よりも大きく、上記第２のアシンメトリ量よりも小さい範囲内で上記照射パワー設定手段に複数の異なる照射パワーを設定させ、上記記録光照射手段に上記複数の照射パワーで上記第１のパターンと第２のパターンとに対応する記録光を上記光学的ディスク状記録媒体に照射させ、上記複数の照射パワーのそれぞれに対応する第１のマーク及び第２のマークを上記光学的ディスク状記録媒体に記録させる制御手段と、
上記複数の異なる照射パワー値と上記複数の第１のマーク及び第２のマークに基づく再生信号の振幅レベルから算出される複数のアシンメトリ量とに基づいて、近似的二次曲線を生成し、上記二次曲線から上記第３のアシンメトリ量に対応する最適照射パワーを算出する最適照射パワー算出手段とを備え、
上記照射パワー設定手段は、上記記録光照射手段の照射パワーを上記最適照射パワー算出手段により算出された最適照射パワーに設定する
ことを特徴とする光学的ディスク状記録媒体記録装置。
【請求項２】
上記アシンメトリ量算出手段は、上記再生信号出力手段から出力される上記再生信号の上側及び下側エンベロープの振幅レベルを検出するエンベロープ検出手段と、上記第１のマークに基づく再生信号の上側エンベロープの振幅レベルと下側エンベロープの振幅レベルとの平均振幅レベルをａとし、上記第２のマークに基づく再生信号の上側エンベロープの振幅レベルと下側エンベロープの振幅レベルとの平均振幅レベルをｂとし、上記第２のマークに基づく再生信号の上側エンベロープの振幅レベルと下側エンベロープの振幅レベルとの差で求められる上記再生信号の最大振幅レベルをｃとして、
（ｂ−ａ）／ｃ＋定数
なる演算によりアシンメトリ量を演算する演算手段とからなることを特徴とする請求項１記載の光学的ディスク状記録媒体記録装置。
【請求項３】
上記第１のパターンは、データが記録されるチャンネルクロックの２倍の周期２Ｔの繰り返しパターンであり、
上記第２のパターンは、上記チャンネルクロックの６倍の周期６Ｔの繰り返しパターンであることを特徴とする請求項１記載の光学的ディスク状記録媒体記録装置。
【請求項４】
上記光学的ディスク状記録媒体は、穴あけ追記型光ディスクであることを特徴とする請求項１記載の光学的ディスク状記録媒体記録装置。
【請求項５】
上記照射パワー設定手段は、上記比較手段によって、上記第４のアシンメトリ量が上記第１のアシンメトリ量よりも小さいと判断された際に、上記照射パワーを上げることを特徴とする請求項１記載の光学的ディスク状記録媒体記録装置。
【請求項６】
上記制御手段は、上記比較手段によって、上記第４のアシンメトリ量が上記第２のアシンメトリ量よりも大きいと判断された際に、上記記録光照射手段から記録光を照射しないように制御する制御手段とを備えることを特徴とする請求項１記載の光学的ディスク状記録媒体記録装置。
【請求項７】
光学的ディスク状記録媒体を回転駆動する回転駆動手段と、第１の周期を有する第１のパターンと上記第１の周期よりも長い第２の周期を有する第２のパターンとを生成するパターン生成手段と、上記光学的ディスク状記録媒体に所定のフォーカス又は位置で記録光を照射するよう制御するサーボ手段を含み、上記第１のパターンと上記第２のパターンのそれぞれに対応する記録光を照射し、上記第１のパターンに対応する第１のマークと上記第２のパターンに対応する第２のマークとを上記光学的ディスク状記録媒体に記録する記録光照射手段と、上記記録光照射手段の照射パワーを設定する照射パワー設定手段と、上記記録光照射手段を上記光学的ディスク状記録媒体の半径方向の所望の位置に移動する記録光照射手段移動手段と、上記第１のマークと上記第２のマークとに再生光を照射し、上記光学的ディスク状記録媒体からの上記再生光の反射光に基づいて再生信号を出力する再生信号出力手段と、上記第１のマークに基づく再生信号の振幅レベルと上記第２のマークに基づく再生信号の振幅レベルとに基づいてアシンメトリ量を算出するアシンメトリ量算出手段とを備え、上記光学的ディスク状記録媒体に記録光を照射することによってデータを記録する光学的ディスク状記録媒体記録装置の照射パワー設定方法であって、
上記再生信号出力手段から出力される再生信号のビットエラーレートが、所定量以下になる最小照射パワーの記録光で記録された上記第１及び第２のマークに基づく再生信号の第１のアシンメトリ量と、上記サーボ手段が不安定とならない最大照射パワーの記録光で記録された上記第１及び第２のマークに基づく再生信号の第２のアシンメトリ量と、最適な記録パワーの記録光で記録された上記第１及び第２のマークに基づく再生信号の第３のアシンメトリ量を記憶しておく記憶工程と、
上記記憶工程で記憶した第１のアシンメトリ量及び第２のアシンメトリ量と、上記再生信号出力手段から実際に出力される上記第１及び第２のマークに基づく再生信号の第４のアシンメトリ量を比較する比較工程と、
上記比較工程による比較結果に基づいて、上記第４のアシンメトリ量が上記第１のアシンメトリ量よりも大きく、上記第２のアシンメトリ量よりも小さい範囲内で上記照射パワー設定手段に複数の異なる照射パワーを設定させ、上記記録光照射手段に上記複数の照射パワーで上記第１のパターンと第２のパターンとに対応する記録光を上記光学的ディスク状記録媒体に照射させ、上記複数の照射パワーのそれぞれに対応する第１のマーク及び第２のマークを上記光学的ディスク状記録媒体に記録させる制御工程と、
上記複数の異なる照射パワー値と上記複数の第１のマーク及び第２のマークに基づく再生信号の振幅レベルから算出される複数のアシンメトリ量とに基づいて、近似的二次曲線を生成し、上記二次曲線から上記第３のアシンメトリ量に対応する最適照射パワーを算出する最適照射パワー算出工程とを有し、
上記記録光照射手段の照射パワーを上記最適照射パワー算出工程により算出された最適照射パワーに設定する
ことを特徴とする光学的ディスク状記録媒体記録装置の照射パワー設定方法。
【発明の詳細な説明】
【０００１】
【発明の属する技術分野】
本発明は、記録光を照射して光学的ディスク状記録媒に記録パターンを記録する光学的ディスク状記録媒体記録装置及びその照射パワー設定方法。
【０００２】
【従来の技術】
ユーザがデータを記録再生することができる追記型光ディスクでは、一般に記録後の現像処理を必要としない薄膜記録材料が用いられ、この記録材料上にレーザ光を絞り込むことによって、熱的に非可逆的な変化を生じさせることによりデータを記録する。変化の形態としては、穴あけ型、相変化型、膜変形型等がある。
【０００３】
穴あけ追記型光ディスクの駆動装置は、図９に示すように、レーザ光を記録面上に集光し、マーク時に穴を空けて記録を行う。
【０００４】
このとき記録面に形成される穴の長さは、図１０に示すように、記録光量すなわちレーザパワーが小さいと最適なものに比べて短くなりレーザパワーを上げるにしたがって長くなる。上記記録面に形成される穴の長さの割合は、発光パルスのＯＦＦ時からの熱の拡散に依存するため、記録するマークの長さにはあまり依存しない。
【０００５】
そして、一般に、穴あけ追記型光ディスクは、ディスク表面が外気に接触し得る構造であるため、レーザパワーに対する感度時間と共に変化する性質がある。したがって、穴あけ追記型光ディスクの駆動装置では、ディスクの感度変化等を吸収するために、実際のデータの記録の前に、記録光量を最適化するキャリブレーションを行う必要がある。一般に、記録光量のキャリブレーションは、記録光量をスイープして記録を行い、再生信号の振幅から最適記録光量を推定している。
【０００６】
【発明が解決しようとする課題】
ところで、穴あけ追記型光ディスクのパワーマージンすなわち適切なマークを記録できるパワーマージンは光磁気ディスクに比べて狭く、光磁気ディスクでは５０％程度であるのに対し、穴あけ追記型光ディスクでは３０％程度である。また、パルス幅変調記録すなわちマーク長記録の場合、穴あけ追記型光ディスクでは、特にオーバーパワーで記録するとグルーブまで破壊してサーボが不安定になってしまう。
【０００７】
したがって、穴あけ追記型光ディスクの駆動装置では、記録光量のキャリブレーションを精度良く、しかも、オーバーパワーにすることなく行うことが必要である。
【０００８】
しかし、従来の穴あけ追記型光ディスクの駆動装置における記録光量のキャリブレーションでは、オーバーパワーを検出することができず、また、最適記録光量を直接探すことができず、十分な精度を得ることができないでいる。
【０００９】
そこで、本発明の目的は、上述の如き従来の実状に鑑み、記録光量のキャリブレーションを精度良く、しかも、オーバーパワーにすることなく行って、穴あけ追記型光ディスクにデータを確実に記録するできるようにした穴あけ追記型光ディスクの駆動装置を提供することにある。
【００１０】
また、本発明の他の目的は、穴あけ追記型光ディスクの駆動装置における記録光量のキャリブレーションを精度良く、しかも、オーバーパワーにすることなく行うことができる記録光量のキャリブレーション方法を提供することにある。
【００１１】
【課題を解決するための手段】
本発明は、光学的ディスク状記録媒体に記録光を照射することによってデータを記録する光学的ディスク状記録媒体記録装置であって、光学的ディスク状記録媒体を回転駆動する回転駆動手段と、第１の周期を有する第１のパターンと上記第１の周期よりも長い第２の周期を有する第２のパターンとを生成するパターン生成手段と、上記光学的ディスク状記録媒体に所定のフォーカス又は位置で記録光を照射するよう制御するサーボ手段を含み、上記第１のパターンと上記第２のパターンのそれぞれに対応する記録光を照射し、上記第１のパターンに対応する第１のマークと上記第２のパターンに対応する第２のマークとを上記光学的ディスク状記録媒体に記録する記録光照射手段と、上記記録光照射手段の照射パワーを設定する照射パワー設定手段と、上記記録光照射手段を上記光学的ディスク状記録媒体の半径方向の所望の位置に移動する記録光照射手段移動手段と、上記第１のマークと上記第２のマークとに再生光を照射し、上記光学的ディスク状記録媒体からの上記再生光の反射光に基づいて再生信号を出力する再生信号出力手段と、上記再生信号出力手段から出力される再生信号のビットエラーレートが、所定量以下になる最小照射パワーの記録光で記録された上記第１及び第２のマークに基づく再生信号の第１のアシンメトリ量と、上記サーボ手段が不安定とならない最大照射パワーの記録光で記録された上記第１及び第２のマークに基づく再生信号の第２のアシンメトリ量と、最適な記録パワーの記録光で記録された上記第１及び第２のマークに基づく再生信号の第３のアシンメトリ量を記憶しておく記憶手段と、上記第１のマークに基づく再生信号の振幅レベルと上記第２のマークに基づく再生信号の振幅レベルとに基づいてアシンメトリ量を算出するアシンメトリ量算出手段と、上記第１のアシンメトリ量及び第２のアシンメトリ量と、上記再生信号出力手段から実際に出力される上記第１及び第２のマークに基づく再生信号の第４のアシンメトリ量を比較する比較手段と、上記比較手段による比較結果に基づいて、上記第４のアシンメトリ量が上記第１のアシンメトリ量よりも大きく、上記第２のアシンメトリ量よりも小さい範囲内で上記照射パワー設定手段に複数の異なる照射パワーを設定させ、上記記録光照射手段に上記複数の照射パワーで上記第１のパターンと第２のパターンとに対応する記録光を上記光学的ディスク状記録媒体に照射させ、上記複数の照射パワーのそれぞれに対応する第１のマーク及び第２のマークを上記光学的ディスク状記録媒体に記録させる制御手段と、上記複数の異なる照射パワー値と上記複数の第１のマーク及び第２のマークに基づく再生信号の振幅レベルから算出される複数のアシンメトリ量とに基づいて、近似的二次曲線を生成し、上記二次曲線から上記第３のアシンメトリ量に対応する最適照射パワーを算出する最適照射パワー算出手段とを備え、上記照射パワー設定手段は、上記記録光照射手段の照射パワーを上記最適照射パワー算出手段により算出された最適照射パワーに設定することを特徴とする光学的ディスク。
【００１２】
本発明に係る光学的ディスク状記録媒体記録装置において、上記アシンメトリ量算出手段は、例えば、上記再生信号出力手段から出力される上記再生信号の上側及び下側エンベロープの振幅レベルを検出するエンベロープ検出手段と、上記第１のマークに基づく再生信号の上側エンベロープの振幅レベルと下側エンベロープの振幅レベルとの平均振幅レベルをａとし、上記第２のマークに基づく再生信号の上側エンベロープの振幅レベルと下側エンベロープの振幅レベルとの平均振幅レベルをｂとし、上記第２のマークに基づく再生信号の上側エンベロープの振幅レベルと下側エンベロープの振幅レベルとの差で求められる上記再生信号の最大振幅レベルをｃとして、
（ｂ−ａ）／ｃ＋定数
なる演算によりアシンメトリ量を演算する演算手段とからなる。また、上記第１のパターンは、データが記録されるチャンネルクロックの２倍の周期２Ｔの繰り返しパターンであり、上記第２のパターンは、上記チャンネルクロックの６倍の周期６Ｔの繰り返しパターンである。
【００１３】
また、本発明に係る光学的ディスク状記録媒体記録装置は、例えば、穴あけ追記型光ディスクを上記光学的ディスク状記録媒体として用いることができる。
【００１８】
また、本発明は、光学的ディスク状記録媒体を回転駆動する回転駆動手段と、第１の周期を有する第１のパターンと上記第１の周期よりも長い第２の周期を有する第２のパターンとを生成するパターン生成手段と、上記光学的ディスク状記録媒体に所定のフォーカス又は位置で記録光を照射するよう制御するサーボ手段を含み、上記第１のパターンと上記第２のパターンのそれぞれに対応する記録光を照射し、上記第１のパターンに対応する第１のマークと上記第２のパターンに対応する第２のマークとを上記光学的ディスク状記録媒体に記録する記録光照射手段と、上記記録光照射手段の照射パワーを設定する照射パワー設定手段と、上記記録光照射手段を上記光学的ディスク状記録媒体の半径方向の所望の位置に移動する記録光照射手段移動手段と、上記第１のマークと上記第２のマークとに再生光を照射し、上記光学的ディスク状記録媒体からの上記再生光の反射光に基づいて再生信号を出力する再生信号出力手段と、上記第１のマークに基づく再生信号の振幅レベルと上記第２のマークに基づく再生信号の振幅レベルとに基づいてアシンメトリ量を算出するアシンメトリ量算出手段とを備え、上記光学的ディスク状記録媒体に記録光を照射することによってデータを記録する光学的ディスク状記録媒体記録装置の照射パワー設定方法であって、上記再生信号出力手段から出力される再生信号のビットエラーレートが、所定量以下になる最小照射パワーの記録光で記録された上記第１及び第２のマークに基づく再生信号の第１のアシンメトリ量と、上記サーボ手段が不安定とならない最大照射パワーの記録光で記録された上記第１及び第２のマークに基づく再生信号の第２のアシンメトリ量と、最適な記録パワーの記録光で記録された上記第１及び第２のマークに基づく再生信号の第３のアシンメトリ量を記憶しておく記憶工程と、上記記憶工程で記憶した第１のアシンメトリ量及び第２のアシンメトリ量と、上記再生信号出力手段から実際に出力される上記第１及び第２のマークに基づく再生信号の第４のアシンメトリ量を比較する比較工程と、上記比較工程による比較結果に基づいて、上記第４のアシンメトリ量が上記第１のアシンメトリ量よりも大きく、上記第２のアシンメトリ量よりも小さい範囲内で上記照射パワー設定手段に複数の異なる照射パワーを設定させ、上記記録光照射手段に上記複数の照射パワーで上記第１のパターンと第２のパターンとに対応する記録光を上記光学的ディスク状記録媒体に照射させ、上記複数の照射パワーのそれぞれに対応する第１のマーク及び第２のマークを上記光学的ディスク状記録媒体に記録させる制御工程と、上記複数の異なる照射パワー値と上記複数の第１のマーク及び第２のマークに基づく再生信号の振幅レベルから算出される複数のアシンメトリ量とに基づいて、近似的二次曲線を生成し、上記二次曲線から上記第３のアシンメトリ量に対応する最適照射パワーを算出する最適照射パワー算出工程とを有し、上記記録光照射手段の照射パワーを上記最適照射パワー算出工程により算出された最適照射パワーに設定することを特徴とする。
【００２４】
【発明の実施の形態】
以下、本発明の実施の形態について図面を参照しながら説明する。
【００２５】
本発明は、例えば図１のブロック図に示すような構成のディスク駆動装置に適用される。
【００２６】
このディスク駆動装置は、穴あけ追記型光ディスク１をスピンドルモータ駆動制御回路２２によって駆動制御されるスピンドルモータ２により回転駆動しながら、光学ヘッド３により上記穴あけ追記型光ディスク１の記録面をレーザ光で走査して、データの記録／再生を光学的に行うものに、本発明を適用したものであって、上記光学ヘッド３による再生出力が供給される最適記録光量決定部４、上記光学ヘッド３のレーザ光量を制御するレーザ駆動制御部５、上記レーザ駆動制御部５を制御する光記録データ制御部６等を備えてなる。
【００２７】
上記光学ヘッド３は、記録光を照射して上記穴あけ追記型光ディスク１に記録パターンを記録する記録手段として機能すると共に、上記追記型光ディスク１に再生光を照射して上記穴あけ追記型光ディスク１から記録パターンの再生出力を得る再生手段として機能するものであって、レーザダイオード３１，ビームスプリッタ３２，対物レンズ３３やフォトダイオード３４などからなる。
【００２８】
上記レーザダイオード３１は、駆動トランジスタ３５を介して駆動電流が流されることにより、上記駆動電流に応じた光量のレーザ光を上記記録光／再生光として出射する。上記レーザダイオード３１から出射されたレーザ光は、ビームスプリッタ３２を介して対物レンズ３３に導かれて、上記穴あけ追記型光ディスク１の記録面上に集光される。また、上記穴あけ追記型光ディスク１の記録面上に集光されたレーザ光の上記記録面からの反射光は、上記対物レンズ３３からビームスプリッタ３２を介してフォトダイオード３４に導かれる。そして、この光学ヘッド３は、上記穴あけ追記型光ディスク１の記録面からの反射光を上記フォトダイオード３４で検出することにより得られる上記反射光の光量に応じた光電流をトランスインピーダンスアンプ３６で電圧に変換すると共に増幅することにより再生出力を得るようになっている。
【００２９】
上記光学ヘッド３により得られる再生出力は、上記最適記録光量決定部４に供給されると共に、スライス回路７とサーボ回路８に供給されている。
【００３０】
上記スライス回路７は、上記光学ヘッド３により得られた再生出力をスライスして２値化することにより再生データとして上記光学データ制御部６に供給するようになっている。また、上記サーボ回路８は、上記光学ヘッド３により得られる再生出力からフォーカスエラーやトラッキングエラー等を検出して、フォーカスサーボ信号やトラッキングサーボ信号等の各種サーボ信号を生成する。このサーボ回路８は、デジタル信号処理により各種サーボ信号を生成するもので、生成した各種サーボ信号をＤ／Ａ変換器９を介してフォーカス駆動回路やトラッキング制御回路２３に供給するようになっている。また、再生出力にスピンドルモータの回転速度を制御する信号が含まれている場合には、Ｄ／Ａ変換器９を介してスピンドルモータ用サーボ信号をスピンドルモータ制御駆動回路２２に供給する。
【００３１】
そして、上記最適記録光量決定部４は、上記光学ヘッド３により得られた再生出力が供給される上側エンベロープ検出回路４１及び上側エンベロープ検出回路４２、上記上側エンベロープ検出回路４１及び上側エンベロープ検出回路４２の各検出出力が供給されるアナログ演算回路４３、上記アナログ演算回路４３の各演算出力が供給される各サンプルホールド回路４４，４５、上記各サンプルホールド回路４４，４５による各ホールド出力が切替えスイッチ４６を介して供給されるＡ／Ｄ変換器４７、このＡ／Ｄ変換器４７の出力データが供給されるデジタル演算処理回路４８などからなる。
【００３２】
この最適記録光量決定部４において、上記上側エンベロープ検出回路４１は、上記光学ヘッド３により得られた再生出力の上側エンベロープを検出する。また、上記下側エンベロープ検出回路４２は、上記光学ヘッド３により得られた再生出力の下側エンベロープを検出する。さらに、上記アナログ演算回路４３は、上記上側エンベロープ検出回路４１により検出された上側エンベロープの信号レベルαと上記下側エンベロープ検出回路４２により検出された下側エンベロープの信号レベルβとから、上記再生出力の平均信号レベル（α＋β）／２と最大振幅（α−β）を算出する。そして、上記アナログ演算回路４３により算出された上記再生出力の平均信号レベル（α＋β）／２と最大振幅（α−β）を示す演算出出力が、それぞれサンプルホールド回路４４，４５によりサンプルホールドされ、切替えスイッチ４６を介してＡ／Ｄ変換器４７に供給され、このＡ／Ｄ変換器４７によりデジタル化されてデジタル演算処理回路４８に供給される。
【００３３】
そして、上記デジタル演算処理回路４８は、上記Ａ／Ｄ変換器４７によりデジタル化されて供給される上記再生出力の平均信号レベル（α＋β）／２と最大振幅（α−β）から最適記録光量を決定するようになっている。
【００３４】
また、上記レーザ駆動制御部５は、上記レーザダイオード３１の駆動トランジスタ３５を駆動するレーザ駆動回路５１とこのレーザ駆動回路５１に接続された自動光量制御（APC:Automatic Power Control）回路５２からなる。
【００３５】
上記ＡＰＣ回路５２は、上記最適記録光量決定部４のデジタル演算処理回路４８により与えられる記録光量／再生光量の光量データに応じた光量のレーザ光を上記レーザダイオード３１から出射させるように上記レーザ駆動回路５１を制御する。また、上記レーザ駆動回路５１は、上記光学データ制御部６から供給される記録データが例えば論理「１」の期間は記録光量のレーザ光を上記レーザダイオード３１から出射させ、上記記録データが論理「０」の期間は再生光量のレーザ光を上記レーザダイオード３１から出射させるように、上記レーザダイオード３１の駆動トランジスタ３５を駆動する。
【００３６】
上記光学データ制御部６は、上記スライス回路７から供給される再生データに基づいて、データの記録位置を制御すると共に、上記最適記録光量決定部４の各サンプルホールド回路４４，４５によるサンプルホールドのタイミングを制御する。
【００３７】
そして、このディスク駆動装置では、実際のデータの記録に先立って、図２のフローチャートに従って記録光量のキャリブレーションを行う。
【００３８】
すなわち、キャリブレーションモードでは、上記最適記録光量決定部４は、先ず、ステップＳ１で記録光量を十分に低い開始光量Ｐstart に設定し、次のステップＳ２で上記光学データ制御部６によりレーザ駆動回路５１を制御して、繰り返し周期の異なる２種類の記録パターンここでは２Ｔ／６Ｔパターンを上記光学ヘッド３により穴あけ追記型光ディスク１に記録させる。
【００３９】
そして、ステップＳ３では、上記穴あけ追記型光ディスク１に記録した２Ｔ／６Ｔパターンを上記光学ヘッド３により再生して、その再生出力から６Ｔパターンの振幅（６Ｔ＿ＰＰ）を測定し、さらに、ステップ４でアシンメトリ量Ａを測定する。
【００４０】
上記６Ｔパターンの振幅（６Ｔ＿ＰＰ）及び上記アシンメトリ量Ａの測定は、上記最適記録光量決定部４において、上記アナログ演算回路４３により得られる上記再生出力の平均信号レベル（α＋β）／２を上記サンプルホールド回路４４により上記２Ｔパターンの再生タイミングと上記６Ｔパターンの再生タイミングでサンプルホールドしてＡ／Ｄ変換器４７を介してデジタル演算処理回路４８に取り込み、また、上記アナログ演算回路４３により得られる最大振幅（α−β）を上記サンプルホールド回路４５により上記６Ｔパターンの再生タイミングでサンプルホールドしてＡ／Ｄ変換器４７を介してデジタル演算処理回路４８に取り込むことによって行われる。
【００４１】
ここで、穴あけ追記型光ディスクでは、図３に示すように、繰り返し周期の異なる２種類の記録パターンここでは２Ｔ（Ｔは繰り返し周期）マーク／スペース繰り返しの２Ｔパターを記録し、その後に６Ｔマーク／スペース繰り返しの６Ｔパターを記録すると、その再生出力は、記録光量に応じて図４に示すように変化する。
【００４２】
そこで、図５に示すように、２Ｔパターンの再生タイミングｔ１でサンプルホールドされる上記２Ｔパターンの再生出力の平均信号レベル（α＋β）／２をａとし、６Ｔパターンの再生タイミングｔ２でサンプルホールドされる上記６Ｔパターンの再生出力の平均信号レベル（α＋β）／２をｂとし、６Ｔパターンの再生タイミングｔ２でサンプルホールドされる上記６Ｔパターンの再生出力の最大振幅（α−β）をｃとして、上記デジタル演算処理回路４８では、
Ａ＝（ｂ−ａ）／ｃ＋０．５
によりアシンメトリ量Ａを求める。また、上記６Ｔパターンの再生出力の最大振幅（α−β）＝ｃは上記６Ｔパターンの振幅（６Ｔ＿ＰＰ）として用いられる。
【００４３】
そして、次のステップＳ５では、測定した６Ｔパターンの振幅（６Ｔ＿ＰＰ）が所定振幅ＰＰ＿ｍｉｎよりも大きいか否かを判定する。
【００４４】
ここで、穴あけ追記型光ディスクに２Ｔ／６Ｔパターンを記録して得られる再生出力は、記録光量を変えた場合、図６に示すように、６Ｔパターンの再生出力の振幅（６Ｔ＿ＰＰ）、アシンメトリ量Ａと記録光量が特定の関係にあり、また、図７に示すようにバイトエラーレートＢＥＲと記録光量が特定の関係にある。この図７に示すように、上記記録光量Ｐ２以下では、不完全記録状態になってしまいバイトエラーレートＢＥＲが低下する。また、記録光量Ｐ１以上では、サーボが不安定になってしまい、バイトエラーレートＢＥＲが低下する。したがって、最適最適記録光量Ｐ０は、上記記録光量Ｐ２から記録光量Ｐ１の間に存在している。
【００４５】
すなわち、記録光量を増加させた場合、６Ｔパターンの再生出力の振幅（６Ｔ＿ＰＰ）は、図６に示す記録光量Ｐ２を境に急激に増加する特性を呈する。これは、記録光量Ｐ２を境に記録面に穴があき始めるからである。したがって、少なくとも穴があいたと判断できる再生出力の振幅の最小値ＰＰ＿ｍｉｎを設定しておくことにより、最適記録光量Ｐ０を確実に検出することが可能となる。
【００４６】
このステップＳ５における判定結果が「ＹＥＳ」すなわち上記６Ｔパターンの振幅（６Ｔ＿ＰＰ）が所定振幅ＰＰ＿ｍｉｎよりも大きい場合には、ステップＳ６に移る。また、上記ステップＳ５における判定結果が「ＮＯ」すなわち上記６Ｔパターンの振幅（６Ｔ＿ＰＰ）が所定振幅ＰＰ＿ｍｉｎ以下である場合には、ステップＳ９に移って記録光量を上昇させてから、上記ステップＳ２に戻って上述のステップＳ２〜ステップＳ５の処理を繰り返し行う。
【００４７】
上記アシンメトリ量Ａは、図６に示すように、記録光量Ｐ２よりも大きい記録光量で単調に増加するので、最適記録光量Ｐ０に対応するアシンメトリ量Ａ０になるところを探すことによって、アシンメトリ量Ａから最適記録光量Ｐ０を検出することができる。なお、最適記録光量Ｐ０は記録光量の上下にどれだけの余裕を持つかで決定される。
【００４８】
ここで、記録光量Ｐ２以下では上述のように記録が不十分であり、アシンメトリ量Ａの値は信頼できない。
【００４９】
そこで、ステップＳ６では、測定したアシンメトリ量Ａが所定量Ａ２よりも大きいか否かを判定する。
【００５０】
このステップＳ６における判定結果が「ＹＥＳ」すなわち上記アシンメトリ量Ａが所定量Ａ２よりも大きい場合には、ステップＳ７に移る。また、上記ステップＳ６における判定結果が「ＮＯ」すなわち上記アシンメトリ量Ａが所定量Ａ２以下である場合には、ステップＳ９に移って記録光量を上昇させてから、上記ステップＳ２に戻って上述のステップＳ２〜ステップＳ５の処理を繰り返し行う。
【００５１】
ステップＳ７では、記録光量Ｐ（ｎ）とアシンメトリ量Ａをメモリに記憶する。
【００５２】
そして、次のステップＳ７では、測定したアシンメトリ量Ａが所定量Ａ１よりも小さいか否かを判定する。
【００５３】
このステップＳ７における判定結果が「ＹＥＳ」すなわちアシンメトリ量Ａが所定量Ａ１よりも小さく正常にサーボがかかる状態にあるので、ステップＳ９に移って記録光量を上昇させてから、上記ステップＳ２に戻って上述のステップＳ２〜ステップＳ５の処理を繰り返し行う。これにより、最適最適記録光量Ｐ０が存在する上記記録光量Ｐ２から記録光量Ｐ１の範囲内で、記録光量Ｐ（ｎ）を複数回変更してキャリブレーションのための測定が行われ、メモリには、例えば図８に示す記録光量Ｐ（２）〜Ｐ（６）とそのアシンメトリＡが記憶される。また、上記ステップＳ７における判定結果が「ＮＯ」すなわちアシンメトリ量Ａが所定量Ａ１以上でサーボが不安定になってしまう状態にあり、現在の記録光量Ｐ以上に記録光量を上昇させてはならないので、ステップＳ１０に移ってキャリブレーションのための測定を終了する。
【００５４】
次のステップＳ１１では、図８に示すように、メモリに記憶した記録光量Ｐ（２）〜Ｐ（６）とアシンメトリ量Ａを２次曲線で近似する。そして、ステップＳ１２において、アシンメトリＡ０に対応する最適記録光量Ｐ０を算出する。
【００５５】
ここで、アシンメトリ量Ａは、記録光量Ｐ２から記録光量Ｐ１にかけて変化率も変化するので、１次近似するよりも、図８に示すように２次曲線で近似する方がよりフィッテングが良く精度も向上する。
【００５６】
そして、次のステップＳ１３では、このようにして決定した最適記録光量Ｐ０を設定して、記録光量のキャリブレーションを終了する。
【００５７】
すなわち、このディスク駆動装置において、上記光学ヘッド３による再生出力が供給される最適記録光量決定部４、上記光学ヘッド３のレーザ光量を制御するレーザ駆動制御部５、上記レーザ駆動制御部５を制御する光記録データ制御部６は、上記光学ヘッド３により、各種記録光量において、繰り返し周期の異なる２種類の記録パターンを穴あけ追記型光ディスク１に記録して、上記光学ヘッド３により得られる上記２種類の記録パターンの再生出力からアシンメトリ量を検出し、各種記録光量におけるアシンメトリ量に基づいて上記穴あけ追記型光ディスク１の最適記録光量Ｐ０を決定し、上記穴あけ追記型光ディスク１に照射する記録光の光量を上記最適記録光量Ｐ０に制御するキャリブレーション手段として機能する。このようなキャリブレーション手段を備えることにより、このディスク駆動装置では、実際のデータの記録に先立って、記録光量のキャリブレーションを精度良く行うことができ、実際のデータの記録を確実に行うことができる。
【００５８】
また、このディスク駆動装置では、上記最適記録光量決定部４により検出されるアシンメトリ量に基づいて、上記レーザ駆動制御部５により上記光学ヘッド３を制御して、記録光量の上限を制限するので、実際のデータの記録に先立って、オーバーパワーにすることなく記録光量のキャリブレーションを精度良く行うことができる。
【００５９】
さらに、このディスク駆動装置では、上記最適記録光量決定部４において、６Ｔパターンの再生出力の最大振幅（６Ｔ＿ＰＰ）に基づいて、追記型光ディスク１の不完全記録状態と完全記録状態とを判別して、完全記録状態における６Ｔ／２Ｔパターンの再生出力の各平均信号レベルａ，ｂ及び最大振幅ｃからアシンメトリ量Ａを演算して、最適記録光量Ｐ０を決定するので、アシンメトリ量を確実に検出することができ、記録光量のキャリブレーションを上記アシンメトリ量に基づいて精度良く行うことができる。
【００６０】
【発明の効果】
本願発明では、光学的ディスク状記録媒体を回転駆動する回転駆動手段と、第１の周期を有する第１のパターンと上記第１の周期よりも長い第２の周期を有する第２のパターンとを生成するパターン生成手段と、上記光学的ディスク状記録媒体に所定のフォーカス又は位置で記録光を照射するよう制御するサーボ手段を含み、上記第１のパターンと上記第２のパターンのそれぞれに対応する記録光を照射し、上記第１のパターンに対応する第１のマークと上記第２のパターンに対応する第２のマークとを上記光学的ディスク状記録媒体に記録する記録光照射手段と、上記記録光照射手段の照射パワーを設定する照射パワー設定手段と、上記記録光照射手段を上記光学的ディスク状記録媒体の半径方向の所望の位置に移動する記録光照射手段移動手段と、上記第１のマークと上記第２のマークとに再生光を照射し、上記光学的ディスク状記録媒体からの上記再生光の反射光に基づいて再生信号を出力する再生信号出力手段と、上記第１のマークに基づく再生信号の振幅レベルと上記第２のマークに基づく再生信号の振幅レベルとに基づいてアシンメトリ量を算出するアシンメトリ量算出手段とを備え、上記光学的ディスク状記録媒体に記録光を照射することによってデータを記録する光学的ディスク状記録媒体記録装置において、上記再生信号出力手段から出力される再生信号のビットエラーレートが、所定量以下になる最小照射パワーの記録光で記録された上記第１及び第２のマークに基づく再生信号の第１のアシンメトリ量と、上記サーボ手段が不安定とならない最大照射パワーの記録光で記録された上記第１及び第２のマークに基づく再生信号の第２のアシンメトリ量と、最適な記録パワーの記録光で記録された上記第１及び第２のマークに基づく再生信号の第３のアシンメトリ量を記憶手段に記憶し、上記記憶手段に記憶した第１のアシンメトリ量及び第２のアシンメトリ量と、上記再生信号出力手段から実際に出力される上記第１及び第２のマークに基づく再生信号の第４のアシンメトリ量を比較手段により比較し、上記比較手段による比較結果に基づいて、制御手段により、上記第４のアシンメトリ量が上記第１のアシンメトリ量よりも大きく、上記第２のアシンメトリ量よりも小さい範囲内で上記照射パワー設定手段に複数の異なる照射パワーを設定させ、上記記録光照射手段に上記複数の照射パワーで上記第１のパターンと第２のパターンとに対応する記録光を上記光学的ディスク状記録媒体に照射させ、上記複数の照射パワーのそれぞれに対応する第１のマーク及び第２のマークを上記光学的ディスク状記録媒体に記録させ、最適照射パワー算出手段により、上記複数の異なる照射パワー値と上記複数の第１のマーク及び第２のマークに基づく再生信号の振幅レベルから算出される複数のアシンメトリ量とに基づいて、近似的二次曲線を生成し、上記二次曲線から上記第３のアシンメトリ量に対応する最適照射パワーを算出し、上記記録光照射手段の照射パワーを上記最適照射パワー算出手段により算出された最適照射パワーに設定することで、実際のデータの記録に先立って、記録光量のキャリブレーションを精度良く行うことができ、実際のデータの記録を確実に行うことができる。従って、本発明によれば、上記光学的ディスク状記録媒体として穴あけ追記型光ディスクを用いて、実際のデータの記録を確実に行うことができる。
【００６１】
上記アシンメトリ量算出手段では、上記第１のマークに基づく再生信号の上側エンベロープの振幅レベルと下側エンベロープの振幅レベルとの平均振幅レベルをａとし、上記第２のマークに基づく再生信号の上側エンベロープの振幅レベルと下側エンベロープの振幅レベルとの平均振幅レベルをｂとし、上記第２のマークに基づく再生信号の上側エンベロープの振幅レベルと下側エンベロープの振幅レベルとの差で求められる上記再生信号の最大振幅レベルをｃとして、
（ｂ−ａ）／ｃ＋定数
なる演算によりアシンメトリ量を演算することができる。
【００６２】
本発明に係る光学的ディスク状記録媒体記録装置では、例えば、上記第１のパターンとしてデータが記録されるチャンネルクロックの２倍の周期２Ｔの繰り返しパターンを用い、また、上記第２のパターンとして上記チャンネルクロックの６倍の周期６Ｔの繰り返しパターンを用いることにより、その記録パターンの再生出力からアシンメトリ量を検出し、検出したアシンメトリ量に基づいて最適記録光量を決定することができ、記録光量のキャリブレーションをアシンメトリ量に基づいて行うことができる。
【００６３】
また、本発明では、上記再生信号出力手段から出力される再生信号のビットエラーレートが、所定量以下になる最小照射パワーの記録光で記録された上記第１及び第２のマークに基づく再生信号の第１のアシンメトリ量を記憶手段に記憶して、上記第１のアシンメトリ量と、上記再生信号出力手段から実際に出力される上記第１及び第２のマークに基づく再生信号の第４のアシンメトリ量を比較手段により比較して、上記第４アシンメトリ量が上記第１のアシンメトリ量よりも小さいと判断された際に、上記照射パワー設定手段により上記照射パワーを上げることによって、記録光量のキャリブレーションを行うことができる。
【００６４】
また、本発明では、上記光学的ディスク状記録媒体に所定のフォーカス又は位置で上記記録光を照射するよう制御するサーボ手段を含む上記記録光照射手段に対して、上記サーボ手段が不安定とならない最大照射パワーの記録光で記録された上記第１及び第２のマークに基づく再生信号の第２のアシンメトリ量を記憶手段に記憶して、上記第２のアシンメトリ量と、上記再生信号出力手段から実際に出力される上記第１及び第２のマークに基づく再生信号の第４のアシンメトリ量を比較手段により比較して、上記第２のアシンメトリ量が上記第１のアシンメトリ量よりも大きいと判断された際に、制御手段により記録光を照射しないように制御することにより、オーバーパワーにすることなく、記録光量のキャリブレーションを行うことができる。
【００６５】
また、本発明では、上記照射パワー設定手段に複数の異なる照射パワーを設定させ、上記記録光照射手段に上記複数の照射パワーで上記第１のパターンと第２のパターンとに対応する記録光を上記光学的ディスク状記録媒体に照射させ、上記複数の照射パワーのそれぞれに対応する第１のマーク及び第２のマークを上記光学的ディスク状記録媒体に記録させ、最適な記録パワーの記録光で記録された上記第１及び第２のマークに基づく再生信号の第１のアシンメトリ量を記憶手段に記憶して、最適照射パワー算出手段により、上記複数の異なる照射パワー値と上記複数の第１のマーク及び第２のマークに基づく再生信号の振幅レベルから算出される複数のアシンメトリ量とに基づいて、近似的二次曲線を生成し、上記二次曲線から上記第１のアシンメトリ量に対応する最適照射パワーを算出することができる。
【図面の簡単な説明】
【図１】本発明を適用したディスク駆動装置の構成を示すブロック図である。
【図２】上記ディスク駆動装置のキャリブレーションモードにおける動作を示すフローチャートである。
【図３】上記キャリブレーションモードにおいて記録する２Ｔ／６Ｔパターンを示す図である。
【図４】上記２Ｔ／６Ｔパターンの再生出力の記録光量に対する信号レベルの変化状態を示す図である。
【図５】上記２Ｔ／６Ｔパターンの再生出力のアシンメトリを示す図である。
【図６】上記２Ｔ／６Ｔパターンの再生出力の記録光量に対する６Ｔパターンの振幅変化状態及びアシンメトリ量の変化状態を示す図である。
【図７】上記２Ｔ／６Ｔパターンの再生出力の記録光量に対するビットエラーレートの変化状態を示す図である。
【図８】上記キャリブレーションモードにおける２Ｔ／６Ｔパターンの記録光量Ｐ（ｎ）と再生出力の６Ｔパターンの振幅（６Ｔ＿ＰＰ）とアシンメトリ量Ａを示す図である。
【図９】穴あけ追記型光ディスクの駆動装置における記録内容を模式的に示す図である。
【図１０】上記穴あけ追記型光ディスクの駆動装置により穴あけ追記型光ディスクの記録面に形成される穴の長さと記録光量の関係を模式的に示す図である。
【符号の説明】
１  穴あけ追記型光ディスク、３  光学ヘッド、４  最適記録光量決定部、５レーザ駆動制御部、６  光記録データ制御部、  ３１  レーザダイオード３１、３４  フォトダイオード、４１  上側エンベロープ検出回路、４２  上側エンベロープ検出回路、４３  アナログ演算回路４３、４４，４５  サンプルホールド回路、４６  切替えスイッチ、４７  Ａ／Ｄ変換器、４８  デジタル演算処理回路、５１  レーザ駆動回路、５２  ＡＰＣ回路
【図１】
0004088987.tif 000002
【図２】
0004088987.tif 000003
【図３】
0004088987.tif 000004
【図４】
0004088987.tif 000005
【図５】
0004088987.tif 000006
【図６】
0004088987.tif 000007
【図７】
0004088987.tif 000008
【図８】
0004088987.tif 000009
【図９】
0004088987.tif 000010
【図１０】
0004088987.tif 000011